(57)【特許請求の範囲】
【請求項１】
遊技カードに記録された有価価値情報を遊技媒体に変換するための情報を送る遊技媒体貸出装置と、
前記遊技媒体貸出装置から遊技媒体に変換するための情報を受けて遊技媒体を排出するとともに、該遊技媒体により遊技が可能な遊技機と、
前記遊技媒体貸出装置から遊技媒体の貸出に関連した情報を受信し、該受信した遊技媒体の貸出に関連した情報を遊技店外の外部装置に対して送信するカード関連情報送信装置と、
を備えたカード式遊技システムにおいて、
前記カード関連情報送信装置は、
遊技店における基準時刻を計時する時刻計時手段と、
営業時間を設定する営業時間設定手段と
前記時刻計時手段により計時される基準時刻及び前記営業時間設定手段で設定された営業時間に基づき、前記遊技媒体の貸出が営業時間内に行われているかどうかを判定する遊技媒体貸出時間判定手段と、
前記遊技媒体貸出時間判定手段により、前記営業時間外での遊技媒体の貸出であると判定された場合に、前記外部装置への当該遊技媒体の貸出に関連した情報の送信を無効化するカード関連情報送信無効化手段と、
を備え、
前記カード関連情報送信装置は、前記外部装置から営業時間データ及び時間値を受信することにより時間合わせを行い、前記営業時間設定手段で設定される営業時間及び時刻計時手段による基準時刻を不正に変更することを防止するようにしたことを特徴とするカード式遊技システム。
【請求項２】
遊技カードに記録された有価価値情報を遊技媒体に変換するための情報を送る遊技媒体貸出装置と、
前記遊技媒体貸出装置から遊技媒体に変換するための情報を受けて遊技媒体を排出するとともに、該遊技媒体により遊技が可能な遊技機と、
前記遊技媒体貸出装置から遊技媒体の貸出に関連した情報を受信し、該遊技媒体の貸出に関連した情報を遊技店外の外部装置に対して送信するカード関連情報送信装置と、
を備えたカード式遊技システムにおいて、
前記カード関連情報送信装置は、
遊技店における基準時刻を計時する時刻計時手段と、
営業時間を設定する営業時間設定手段と、
を備え、
前記カード関連情報送信装置は、
前記外部装置から営業時間データ及び時間値を受信することにより時間合わせを行い、前記営業時間設定手段で設定される営業時間及び時刻計時手段による基準時刻を不正に変更することを防止するようにし、
且つ、前記時刻計時手段により計時される基準時刻及び前記営業時間設定手段で設定された営業時間に基づき、営業時間外になった場合に前記遊技媒体貸出装置に時間外情報を送信するように構成し、
前記遊技媒体貸出装置は、
前記時間外情報を受信した場合に、遊技媒体の貸出行為を禁止するようにしたことを特徴とするカード式遊技システム。
【発明の詳細な説明】
【０００１】
【発明の属する技術分野】
この発明は、遊技店側で行われる営業時間外の不正な玉貸しを防止可能にしたカード式遊技システムに関する。
【０００２】
【従来の技術】
従来より、遊技機の隣にカード式玉貸し装置を設置して、該カード式玉貸し装置のカード挿入口に有価価値情報が記録されているプリペイドカード（遊技カード）を挿入して有価価値情報を遊技球に変換して遊技を可能にするカード式遊技システムが一般的である。
【０００３】
従来のカード式遊技システムにおいては、遊技機に備えられている玉排出装置とカード操作部とに、カード式玉貸し装置が接続されており、例えば、遊技者が玉貸しのためにカード操作部を操作した場合、カード操作部からカード式玉貸し装置に所定の信号が入力され、カード式玉貸し装置は入力された信号に基づき遊技機の玉排出装置に対して所定の遊技球の排出命令信号を送信して、玉排出装置は遊技球の排出を行う。そして、遊技者がカードの排出操作を行った場合やカードの残度数が０になった場合には、カード式玉貸し装置はカードの有価価値情報を書き換えて返却を行っている。
【０００４】
また、カード式玉貸し装置が、中継装置及びカードデータ転送装置と赤外或いはケーブルにより接続されるとともに、該中継装置とカードデータ転送装置を介して遊技店外部のカード会社に電話回線で接続されることで、上記玉貸し情報等をカード会社に対して送信可能となっている。
【０００５】
一方、このような従来のカード式遊技システムでは、遊技店はカード会社より遊技カードを購入し、遊技カードの金額（現行では１０００円と３０００円）に応じた代金とカード自体の代金（１４円）を支払い、遊技店は当該遊技店における遊技カードの使用による玉貸し金額をカード会社に請求して（玉貸し情報を送信して）支払いを受ける構成になっている。
【０００６】
【発明が解決しようとする課題】
現在、テレホンカードの改竄と同様に、プリペイドカード（遊技カード）の改竄も数多く発生して、カード会社が甚大な不利益を被る事態が発生している。
【０００７】
現在出回っている改竄カード（不正カード）としては、帰零したカードに再度不正に有価価値情報を書き込みパンチ穴を塞いだものや、度数の減らない情報を書き込んだもの（これは、カード会社のテスト用カードの情報を書き込んでいるらしい）などがあり、場合によっては、使用済みのカードを使用したものではなく、新たに作られた不正カードも出回っているようである。
【０００８】
一方、不正の手口としては、例えば、不正カードを使用して遊技を行い、その間に連続的に玉貸しを続けて多量の遊技球を排出させ、そうして得られた遊技球を景品（或いは現金）に交換する方法がある。
【０００９】
従来のカード式遊技システムにおいては、このような不正カードの使用による玉貸しによりカード会社のみが不利益を被り、遊技店側は不正カードの使用による玉貸し分についてもカード会社に請求できるので何ら不利益を被ることがない。それどころか、不正カードの使用により見かけ上の売り上げが向上し、カード会社に不正カードの使用による玉貸し分も請求できるので、心無い遊技店においては、不正カードの使用を見逃したり、更には、遊技店も絡んでの不正行為を行っている場合がある。
【００１０】
この場合、遊技店側で行う不正行為としては、例えば、遊技店側で不正カードを用意してそのカードを使って不正な玉貸しを行ったりするものがある。そして、このような不正な玉貸しは営業時間内だけではなく、営業時間外や定休日などに行われたりする場合も発生している。
【００１１】
以上のような課題を解決するために、この発明は、カード式遊技システムにおいて、遊技店の営業時間を遊技店以外の外部装置（カード会社等）によって設定し、営業時間外の玉貸し情報の送信を無効化することにより、遊技店側で行われる遊技カードを使用した営業時間外の不正な玉貸しを防止可能にした。
【００１２】
【課題を解決するための手段】
請求項１記載の発明は、遊技カードに記録された有価価値情報を遊技媒体に変換するための情報を送る遊技媒体貸出装置と、
前記遊技媒体貸出装置から遊技媒体に変換するための情報を受けて遊技媒体を排出するとともに、該遊技媒体により遊技が可能な遊技機と、
前記遊技媒体貸出装置から遊技媒体の貸出に関連した情報を受信し、該受信した遊技媒体の貸出に関連した情報を遊技店外の外部装置に対して送信するカード関連情報送信装置と、
を備えたカード式遊技システムにおいて、
前記カード関連情報送信装置は、
遊技店における基準時刻を計時する時刻計時手段と、
営業時間を設定する営業時間設定手段と
前記時刻計時手段により計時される基準時刻及び前記営業時間設定手段で設定された営業時間に基づき、前記遊技媒体の貸出が営業時間内に行われているかどうかを判定する遊技媒体貸出時間判定手段と、
前記遊技媒体貸出時間判定手段により、前記営業時間外での遊技媒体の貸出であると判定された場合に、前記外部装置への当該遊技媒体の貸出に関連した情報の送信を無効化するカード関連情報送信無効化手段と、
を備え、
前記カード関連情報送信装置は、前記外部装置から営業時間データ及び時間値を受信することにより時間合わせを行い、前記営業時間設定手段で設定される営業時間及び時刻計時手段による基準時刻を不正に変更することを防止するようにしたことを特徴とする。
【００１３】
この請求項１記載の発明によれば、時刻計時手段により計時される基準時刻及び営業時間設定手段で設定された営業時間に基づき、遊技媒体の貸出が営業時間内に行われているかどうかを遊技媒体貸出時間判定手段が判定し、遊技媒体貸出時間判定手段により、営業時間外での遊技媒体の貸出であると判定された場合に、外部装置への遊技媒体の貸出に関連した情報の送信をカード関連情報送信無効化手段が無効化し、カード関連情報送信装置が、外部装置から営業時間データ及び時間値を受信することにより時間合わせを行い、営業時間設定手段で設定される営業時間及び時刻計時手段による基準時刻を不正に変更することを防止する。
【００１４】
その結果、営業時間外の不正カードによる玉貸しを防止でき、カード会社が不利益を被らなくて済むようになる。
【００１５】
ここで、遊技機は、パチンコ遊技機、パチコン機及び雀球遊技機などの弾球遊技機、パチスロ機、スロットマシーンなど、どのような遊技機であってもよい。
【００１６】
有価価値情報は、例えば、金額などに関する情報である。
【００１７】
遊技媒体は、パチンコ遊技機などの弾球遊技機にあっては遊技球であり、パチスロ機などにあってはコインである。尚、封入式遊技機の場合は、遊技を可能にする情報である、遊技媒体情報となる。
【００１８】
外部装置は、例えば、カード会社（外部監視装置）などである。
【００１９】
遊技媒体貸出装置は、例えば、パチンコ遊技システムにおいては、カード式玉貸し装置のことである。
【００２０】
遊技カード（プリペイドカード）は、磁気カードやＩＣカード等である。
【００２１】
請求項２記載の発明は、遊技カードに記録された有価価値情報を遊技媒体に変換するための情報を送る遊技媒体貸出装置と、
前記遊技媒体貸出装置から遊技媒体に変換するための情報を受けて遊技媒体を排出するとともに、該遊技媒体により遊技が可能な遊技機と、
前記遊技媒体貸出装置から遊技媒体の貸出に関連した情報を受信し、該遊技媒体の貸出に関連した情報を遊技店外の外部装置に対して送信するカード関連情報送信装置と、
を備えたカード式遊技システムにおいて、
前記カード関連情報送信装置は、
遊技店における基準時刻を計時する時刻計時手段と、
営業時間を設定する営業時間設定手段と、
を備え、
前記カード関連情報送信装置は、
前記外部装置から営業時間データ及び時間値を受信することにより時間合わせを行い、前記営業時間設定手段で設定される営業時間及び時刻計時手段による基準時刻を不正に変更することを防止するようにし、
且つ、前記時刻計時手段により計時される基準時刻及び前記営業時間設定手段で設定された営業時間に基づき、営業時間外になった場合に前記遊技媒体貸出装置に時間外情報を送信するように構成し、
前記遊技媒体貸出装置は、
前記時間外情報を受信した場合に、遊技媒体の貸出行為を禁止するようにしたことを特徴とする。
【００２２】
この請求項２記載の発明によれば、カード関連情報送信装置が、外部装置から営業時間データ及び時間値を受信することにより時間合わせを行い、営業時間設定手段で設定される営業時間及び時刻計時手段による基準時刻を不正に変更することを防止し、且つ、時刻計時手段により計時される基準時刻及び営業時間設定手段で設定された営業時間に基づき、営業時間外になった場合に遊技媒体貸出装置に時間外情報を送信し、遊技媒体貸出装置が、時間外情報を受信した場合に、遊技媒体の貸出行為を禁止するので、予め設定されている営業時間、或いは玉貸し行為の発生時間を計る基準時間を、遊技店側が変更するといった不正行為を防止でき、その結果、遊技店による不正カードを使用した営業時間外（定休日も含む）の玉貸しが確実に防止できるので、カード会社が不利益を被らなくて済むようになる。
【００２５】
【発明の実施の形態】
以下、この発明に係わるカード式遊技システムの実施の形態について図面を参照しつつ説明する。
【００２６】
［第１の実施の形態］
先ず、図１〜図６において、この発明の構成に関する説明を行う。
【００２７】
図１はこの発明の実施の形態に係わるカード式遊技システムのシステム図である。
【００２８】
図１に示すように、遊技店側のカード式遊技設備（破線図内）のシステムは、大きく分けて、２系統からなっている。
【００２９】
１系統は、遊技機１０，１０，・・、計数機１１、景品交換ＰＯＳ１２、及び、それら装置から送られてくる遊技媒体や遊技状態に関する情報を店側が統括管理する管理装置４０などからなり、店全体の遊技球の流れや球数それに各遊技機の遊技状態を把握する系統である。
【００３０】
各遊技機１０，１０，・・からは、玉貸し数、打ち込み球数、及び各遊技機の遊技状態、などに関する情報が、球計数機１１からは、遊技者が持ち玉を球計数機で景品交換チケットと交換した球数に関する情報が、景品交換ＰＯＳ１２からは、遊技者が持ち玉を景品と交換した球数に関する情報が、それぞれ管理装置４０に対して送信され、これを店側が集中管理する。また、管理装置４０はカードデータ転送装置３０との間でデータのやりとりを行う。
【００３１】
もう１系統は、カード式玉貸し装置（カード式玉貸し機）２０，２０，・・、カード発行機２１、カード受付機２２、及び、それら装置からのデータを、副中継装置３２、主中継装置３１（以下、中継装置３１，３２と記す場合がある）を介して収集しカード会社に送信するカードデータ転送装置（Ｔ−ＢＯＸ）３０からなり、カード及びカードを使用した玉貸しに関する情報を把握する系統である。
【００３２】
カード式玉貸し装置２０，２０，・・からは、玉貸しに関する情報が、カード発行機２１からは、発行したカードの種類や枚数に関する情報が、カード受付機２２からは、受け付けたカードが正規のものかどうかに関する情報が、カードデータ転送装置３０に対して、副中継装置３２及び主中継装置３１を介して送信される。カードデータ転送装置３０は、前記の情報を、電話回線などを通じてカード会社（外部装置）５０へ送信する。そして、カード会社５０側は、その送られてきたデータを基にして、カードによる玉貸し額（遊技店に支払う額）を把握することができる。
【００３３】
図２は、図１のカード式遊技システムにおける主要構成要素の斜視図である。
【００３４】
島設備６０には、遊技機１０，１０，・・、及び各遊技機に付設されたカード式玉貸し装置（カード式玉貸し機）２０，２０，・・、が設置され、また、カード式玉貸し装置２０，２０，・・、カード発行機２１、並びにカード受付機２２などからのデータを、カードデータ転送装置３０に送信するための中継装置３１，３２が設置されている。
【００３５】
カード発行機２１は、遊技者が、遊技をするためのプリペイドカード（以下、遊技カード又はカード）を購入する装置で、また、発券したカードに関する情報（カード種別や枚数など）を、中継装置３１，３２を通してカードデータ転送装置３０に送信する。
【００３６】
カード受付機２２は、カードが正規のものか偽造されたものかを判定するため店内に設置された装置で、結果は中継装置３１，３２を通してカードデータ転送装置３０に送信する。
【００３７】
管理装置４０は、遊技機１０，１０，・・からは、玉貸し数、打ち込み球数、及び遊技状態に関する情報を、球計数機１１からは、景品交換チケットと交換された遊技球に関する情報を、景品交換ＰＯＳ１２からは、景品と交換された遊技球に関する情報を、受信し、また、それら装置に対してデータを送信して、店全体を統括管理及び運営する役割を果たしている。この他にも、カードデータ転送装置３０を介してカード会社５０と不正監視や運営に関した情報のやり取りを行っている。
【００３８】
カードデータ転送装置３０は、カード会社５０に、集計されたカードによる玉貸し情報を送り、また、カード会社５０からの情報（時刻監視情報等）を遊技店側の各装置に転送する働きをする。詳細な情報のやり取りに関しては図９カードデータ転送装置のメインフローの説明を参照のこと。
【００３９】
図３は、遊技機１０とそれに付設されたカード式玉貸し装置（カード式玉貸し機）２０を示す斜視図である。
【００４０】
遊技機１０は、遊技カードによって玉貸しが行われるカード式遊技機であり、例えば、１種のパチンコ遊技機などである。
【００４１】
遊技機１０の上皿にはカード操作部１００が設置されており、該カード操作部１００は、玉貸しスイッチ１００ａ、返却スイッチ１００ｂ、カード残度表示器１００ｃ、及び玉貸し有効表示器１００ｄから構成されている。
【００４２】
また、遊技機１０は、玉排出信号（玉貸し完了情報）や各遊技状態に対応した遊技状態信号を外部（カード式玉貸し装置２０や管理装置４０）に出力する信号出力手段を備えている。
【００４３】
カード式玉貸し機２０は、付設された遊技機１０からの玉排出信号の入力手段を備え、また、該カード式玉貸し機２０の玉貸しに関する情報を、赤外通信あるいはケーブル通信によって外部に出力する手段を備えている。
【００４４】
図３に示されているカード式玉貸し機２０は、赤外通信によって外部と通信を行うための通信部（通信制御装置２０５）を備えた機種で、カードによる玉貸し情報は、通信部から副中継装置３２を介して主中継装置３１に赤外送信され、主中継装置３１からカードデータ転送装置３０にシールド線によってケーブル送信される。そして、カードデータ転送装置３０は、送られてきた情報をカード会社５０に対して電話回線を通じて送信する。
【００４５】
図４は、遊技機１０がパチンコ遊技機である場合の遊技盤７１の正面図である。
【００４６】
図４に示す遊技盤７１はいわゆる第１種のパチンコ遊技機のものである。
【００４７】
この遊技盤７１のガイドレール７２で囲まれた遊技領域７３には、特別図柄の可変表示装置（補助遊技装置）７４、特別変動入賞装置（変動入賞装置）７５、普図始動ゲート（普図始動入賞口）７６，７６、普通図柄の可変表示装置（普通図柄表示装置）７７、一般入賞口７８，７８，・・・、特図始動口を兼ねた普通変動入賞装置７９、風車とよばれる方向変換部材８０，８０，・・・、サイドランプ８１，８１，・・・、障害釘８２，８２，・・・、などが配設されている。
【００４８】
そして、特別図柄の可変表示装置７４には例えば液晶表示画面などによって構成される可変表示部７４ａ、特図始動記憶表示器７４ｂ，７４ｂ，・・・等が設けられ、普図始動ゲート７６，７６の下方には普図始動記憶表示器７６ａ，７６ａ，・・・が配設されている。
【００４９】
普通変動入賞装置７９の左右一対の開閉部材７９ａ，７９ａは、常時は遊技球１個分受け入れうる間隔を開けた状態に閉じているが、普通図柄表示装置７７の普図可変表示遊技の結果如何によって、逆「八」の字状に開いて遊技球を受け入れやすい状態に変化するようになっている。
【００５０】
特別変動入賞装置（変動入賞装置）７５は開閉扉７５ａによって開閉される大入賞口７５ｂを備えている。開閉扉７５ａは常時は閉じているが、特別図柄の可変表示装置７４の可変表示部７４ａにおける可変表示遊技の結果如何によって、開放されるようになっている。
【００５１】
次に、始動入賞、可変表示遊技のスタート、リーチ状態、大当たり状態、確率変動状態等の各種遊技状態について説明する。
【００５２】
遊技領域７３中に打ち込まれた遊技球が普通変動入賞装置７９に入賞（始動入賞）すると、その入賞が内部の特図始動スイッチ７９ｂに検出されて、可変表示装置７４の可変表示部７４ａにおいて可変表示遊技が開始される。そして、この可変表示遊技の、左、中、右の図柄が順に停止される過程において、大当たりを発生させる可能性のある停止表示態様（例えば、「１，１，−」、「２，２，−」、「３，３，−」などの）となった場合には、それらリーチの態様に応じてリーチ表示態様に変換される。
【００５３】
特別図柄の可変表示遊技（補助遊技）において、このような（例えば、右の図柄だけが可変表示される）リーチ表示態様になっている場合の遊技状態をリーチ状態という。
【００５４】
そして、この特別図柄の可変表示遊技（補助遊技）の結果として、その停止図柄が大当たりを発生させる所定の停止表示態様（特定結果態様）、例えば、「１，１，１」、「２，２，２」、「３，３，３」などのぞろ目、となった場合には、大当たりの状態（特別遊技状態）が発生する。
【００５５】
この特別遊技状態は、特別変動入賞装置（変動入賞装置）７５の開閉扉７５ａが所定時間開放されて閉じるサイクルを１サイクル（ラウンド）とし、各サイクル（ラウンド）中遊技者が大入賞口７５ｂ中の継続入賞領域の継続スイッチに検出されることを条件に所定サイクル（例えば、１６ラウンド）まで継続される遊技である。ただし、各サイクル（ラウンド）中、大入賞口７５ｂに遊技球が所定個数（例えば、１０個）入賞（カウント）したときはその時点でそのサイクル（ラウンド）を終了する。
【００５６】
図５は、遊技機１０とそれに付設したカード式玉貸し装置（カード式玉貸し機）２０の内部装置、及び内部装置間の玉貸し情報及び遊技情報に関する信号のやり取りの詳細、を示したブロック図である。
【００５７】
遊技機１０の内部装置には、玉貸しスイッチ１００ａ、返却スイッチ１００ｂ、カード残度表示器１００ｃ、玉貸し有効表示器１００ｄ、排出制御装置（玉貸し情報を受け、玉貸し完了情報を送る）１０１、役物制御装置（遊技情報を送る）１０２、等がある。
【００５８】
カード式玉貸し装置２０の内部装置には、ＣＰＵ２００、ＲＯＭ２０１、ＲＡＭ２０２、クロック２０３、Ｉ／Ｏインターフェース２０４、通信制御装置２０５、カードＲ／Ｗ装置２０６、外部記憶装置２０７、リセットスイッチ２０８、玉貸し額設定スイッチ２０９、報知ランプ２１０等がある。
【００５９】
遊技機１０とカード式玉貸装置２０間のデータの受け渡しは、カード式玉貸し装置２０に備わったＩ／Ｏインターフェース２０４を通じて行われる。
【００６０】
遊技機１０からカード式玉貸し装置２０へ送られる情報には、遊技者の玉貸しスイッチ１００ａの操作による玉貸し要求の情報、遊技者の返却スイッチ１００ｂの操作によるカード返却要求の情報、排出制御装置１０１が玉貸しを完了したことを知らせる玉貸完了情報、などがある。
【００６１】
カード式玉貸し機２０から遊技機１０へ送られる情報には、カード残度表示器１００ｃに対する遊技カードの残度数に関する情報、玉貸有効表示器１００ｄに対する玉の貸出が有効状態であるかどうかに関する情報、排出制御装置１０１に対する玉貸しのための玉排出命令情報、などがある。
【００６２】
カード式玉貸し機２０は内部に、Ｉ／Ｏインターフェース２０４、中央演算処理装置ＣＰＵ２００、リードオンリーメモリＲＯＭ２０１、ランダムアクセスメモリＲＡＭ２０２、クロックジェネレータであるクロック２０３、を備え、自身で演算処理する能力を有している。
【００６３】
通信制御装置２０５は、カード式玉貸し機２０が中継装置を介してカードデータ転送装置３０と赤外通信を行う為の通信部である。
【００６４】
カードＲ／Ｗ装置２０６は、残度数情報、セキュリティー情報、当店情報などをカードから読み取り、また、玉貸しによる残度数情報などをカードに書き込む装置である。
【００６５】
外部記憶装置２０７は、中央演算処理装置ＣＰＵ２００、ＲＯＭ２０１、ＲＡＭ２０２、クロック２０３からなるカード式玉貸し機２０の内部コンピュータ部のデータ記憶装置であり、Ｉ／Ｏインターフェース２０４を通じて読み込み書き込みが行われる。
【００６６】
リセットスイッチ２０８は、不正が行われたと判定され遊技機が遊技不能状態になった場合に、このリセットスイッチの操作により、遊技可能状態に復帰する。
【００６７】
玉貸し額設定スイッチ２０９は、遊技機の玉貸しスイッチ一回の操作によって貸し出される遊技球の額を設定するスイッチである。
【００６８】
報知ランプ２１０は、遊技状態に異常が起こったり、不正が行われたときに、外部（店側）に知らせるためのランプである。
【００６９】
図６は、カードデータ転送装置３０の内部構成装置及び各内部構成装置間の信号のやり取りを記載したブロック図である。
【００７０】
カードデータ転送装置３０は、ＣＰＵ３００、ＲＡＭ３０１、ＲＯＭ３０２、クロック３０３、時計ＩＣ３０４、Ｉ／Ｏインターフェース３０５、通信制御装置（遊技店外用）３０６、通信制御装置（遊技店内用）３０７、外部記憶装置３０８、表示装置３０９、入力装置３１０、プリンター３１１、記憶装置３１２などから構成される。
【００７１】
カードデータ転送装置３０は、ＣＰＵ３００、ＲＡＭ３０１、ＲＯＭ３０２を備え、自身で演算処理する能力を有している。
【００７２】
クロック３０３は、ＣＰＵ３００が演算処理を行うときのクロックを発生させる装置で、時計ＩＣ３０４もクロック３０３のクロック信号によって同期をとっている。
【００７３】
時計ＩＣ３０４は、基準となる時間値である基準時刻をカード会社５０から受信し、その基準時刻を計時する装置である。そして、ＣＰＵ３００がその基準時刻により営業時間外の不正玉貸しを判定する。即ち、この時計ＩＣ３０４によって、遊技店側での営業時間を監視する基準時刻の変更をできなくできる。
【００７４】
インターフェース３０５は、管理装置４０、（中継装置３１，３２を介して）カード式玉貸し装置２０、及びカード会社５０とカードデータ転送装置３０の内部装置を繋いで、各種データのやり取りを行えるようにする。
【００７５】
通信制御装置（遊技店外用）３０６は、カードデータ転送装置３０が外部装置であるカード会社５０と電話回線を通じた各種通信の制御を行う装置である。
【００７６】
通信制御装置（遊技店内用）３０７は、カードデータ転送装置３０が遊技店内の管理装置４０やカード式玉貸し装置２０とケーブル通信或いは赤外通信によって行う各種通信を制御する装置である。
【００７７】
外部記憶装置３０８は、カードデータ転送装置３０が、カード会社５０、管理装置４０、及びカード式玉貸し装置２０等から受信した各種データを記憶する外部記憶装置である。
【００７８】
表示装置３０９は、例えば、ＣＲＴディスプレイや液晶パネル等によって構成された、カードデータ転送装置３０への各種通信情報を表示する装置である。
【００７９】
入力装置３１０は、例えば、キーボード等によって構成された、データや指示を入力する外部装置である。
【００８０】
プリンター３１１は、カードデータ転送装置が受信した各種通信情報をプリンタ出力する装置である。
【００８１】
記憶装置３１２は、カードデータ転送装置３０が、カード会社５０、管理装置４０、及びカード式玉貸し装置２０等から受信した各種データを記憶する（内部）記憶装置である。
【００８２】
次に、図７〜図９において、この発明に係わるカード式遊技システムの実際の動作形態について説明する。
【００８３】
図７は、カード式玉貸し装置２０によって行われる制御処理のメインフローを示す図である。
【００８４】
電源が投入されると、先ず、ステップＳ１で自己診断処理が行われる。この処理では、玉貸し装置内の各装置間のＩ／Ｏインターフェースのチェック及びメモリのチェック等を行い、次のステップＳ２に移行する。
【００８５】
ステップＳ２の開店処理では、通信回線のテスト、初期化処理、玉貸しＳＷ１回の入力での玉貸し額の設定等の設定処理等を行い、また、遊技機との通信の状態を監視して、通信状態が正常でないと起動しないよう設定されている。各項目に異常がなければ装置が起動し、ステップＳ３に移行する。
【００８６】
ステップＳ３のカードプレイ処理では、カード式玉貸し装置２０に遊技カードを挿入するとカード情報を読み込んで改竄や偽造がないかチェックし、遊技の玉貸し情報の読み書き処理をカードに行う。また、カードに関するエラー情報、及び玉貸し情報を通信メモリにセットし次のステップＳ４通信処理に移行する。
【００８７】
ステップＳ４の通信処理では、ステップＳ３のカードプレイ処理によって得られた、遊技カードに関するエラー情報及び玉貸し情報をＴ−ＢＯＸ（カードデータ転送装置３０）へデータ送信し、次のステップ５に移行する。
【００８８】
ステップ５の連続玉貸し防止処理では、各玉貸し間に玉貸し無効時間を設け、連続した玉貸しを防止する。
【００８９】
そして、ステップＳ５からステップＳ３にリターンされ、以降この間の処理を繰り返す。
【００９０】
図８は、カードデータ転送装置３０の行なう制御処理のメインフローのフローチャートである。
【００９１】
装置の電源がＯＮにされると、先ず、ステップＲ１において自己診断処理が行われる。
【００９２】
自己診断処理では、Ｉ／Ｏ通信のチェック、メモリチェック、ハードディスクチェック、バッテリーバックアップチェック、割り込みタイマーの初期化、アクセス来歴印字、１４日以前のデータをハードディスクから消去、営業時間のチェック、時間外の玉貸しを監視するための基準時間、及び営業時間の設定値が正規に設定されたものであるかのチェック、等の処理を行い、次のステップＲ２に移る。
【００９３】
尚、このとき、時間外の玉貸しを監視するための基準時間が正規に設定されたものでない場合には、業務不能にする（例えば、業務開始処理を行わないなどにより）。
【００９４】
ステップＲ２では、業務開始処理が行われる。
【００９５】
業務開始処理では、各中継器とのアドレス設定、開始スイッチの確認、日付の修正、ワークエリアのクリア、等の処理を行い、次のステップＲ３に移る。
【００９６】
ステップＲ３では、カードデータ転送装置３０に玉貸し装置２０からの通信の割込が発生した場合は、ステップＲ４に移り、そうでない場合は、ステップＲ６に移る。
【００９７】
ステップＲ４では、ステップＲ３で起こった通信の割込が営業時間外の玉貸しによるものである場合にはステップＲ６に移り、そうでない場合にはステップＲ５に移る。
【００９８】
これは、カードデータ転送装置３０内の時計ＩＣ３０４により、ステップＲ３で起こった通信の割込が予め設定されている営業時間外の玉貸しによるものであるかどうかを判定し、
営業時間外の玉貸しの場合にはカード会社５０への送信データとして記憶しない（ステップＲ５を飛ばしてステップＲ６に移る）ためである。
【００９９】
ステップＲ５では、ステップＲ３で営業時間外の玉貸しによるものでない割込が発生した場合に、各玉貸し装置２０との通信処理を行うとともに、受信データをワークエリアに記録し、ステップＲ６に移る。
【０１００】
ステップＲ６では、端末装置からの要求に基づき表示装置（ＣＲＴ）３０９やプリンター３１１への出力処理を行い、ステップＲ７に移る。
【０１０１】
ステップＲ７では、遊技店の管理装置４０との通信処理を行い、ステップＲ８に移る。
【０１０２】
ステップＲ８では、不正の判定があった場合（例えば、営業中の営業時間の設定値の変更や基準時刻の変更）には、不正情報の記憶、及び不正情報の送信をカード会社に行う。
【０１０３】
ステップＲ９では、カードデータ転送装置３０の締めスイッチが、ＯＮの場合ステップＲ１０に移り業務終了処理を行い、ＯＦＦの場合ステップＲ３にリターンされる。
【０１０４】
ステップＲ１０では、ステップＲ９で締めスイッチがＯＮにされた場合、業務終了処理を行う。業務終了処理の詳細については次の図１０業務停止処理のところで説明する。
【０１０５】
以上で、カードデータ転送装置３０のメインフローは終了する。
【０１０６】
図９は、カードデータ転送装置３０の業務停止処理のサブルーチンのフローチャートであり、メインフローのステップＲ１０業務終了処理に当たる。
【０１０７】
カードデータ転送装置３０の締めスイッチがＯＮにされ業務停止処理が開始されると、先ず、ステップＲ２０において割り込み禁止処理が行われる。
【０１０８】
割り込み禁止処理では、業務データを集計するために、各玉貸し装置からの通信割込を禁止し、ステップＲ２１に移る。
【０１０９】
ステップＲ２１では、メモリ上のワークエリアのデータを集計し、ステップＲ２２へ移る。
【０１１０】
ステップＲ２２では、ステップＲ２１で集計したデータをプリンター３１１からプリントアウトし、ステップＲ２３に移る。
【０１１１】
ステップＲ２３では、ステップＲ２１で集計したデータを閉店時間とともにハードディスクに記録し、ステップＲ２４に移る。
【０１１２】
ステップＲ２４では、カード会社５０から通信があった場合には、次のステップＲ２５に移り、なかった場合には、再度ステップＲ２４に戻り、カード会社５０からの通信を待つ。
【０１１３】
ステップＲ２５では、カード会社５０から通信があった場合に、ハードディスクの内容をカード会社５０に送信し、ステップＲ２６に移る。
【０１１４】
ステップＲ２６では、カード会社５０から正規な営業時間データを受信してステップＲ２７に移る。
【０１１５】
これは、カード会社５０から正規な営業時間データを受信することにより、営業時間データの変更を防止するためである。
【０１１６】
尚、営業時間は遊技店が予めカード会社に申告するか、或いは全店共通の営業に関する時間帯を決めておく、例えば、営業時間が１０：００〜２２：００の場合、９：３０〜２２：３０迄の時間帯のデータを有効とし、営業時間の前後３０分の余裕時間を設ける。これは、カード会社からカードデータ転送装置へデータが送られてくる迄にタイムラグがあるために、余裕時間を設けてその時間中のデータを有効と見なすためである。
【０１１７】
ステップＲ２７では、カード会社５０からカードデータ転送装置の時計ＩＣ３０４の時間値を受信しステップステップＲ２８に移行する。これは、カード会社５０とカードデータ転送装置の時計ＩＣ３０４との時間合わせを行うことにより、遊技店側での時計ＩＣ３０４の時間値の変更を防止するためである。
【０１１８】
ステップＲ２８では、カード会社５０にハードディスクの内容を送信した後、カード会社５０からの確認コマンドがあった場合には、次のステップＲ２９に移り、無かった場合には、ステップＲ２４に戻りカード会社５０からの通信を待つ。
【０１１９】
ステップＲ２９では、カード会社５０との通信日付時間データをハードディスクにアクセス来歴として記録し、ステップＲ３０に移る。
【０１２０】
ステップＲ３０では、カードデータ転送装置３０を低消費電力モードにする。
【０１２１】
以上で、業務停止処理のサブルーチンは終了する。
【０１２２】
以上に述べたように、この発明に係わるカード式遊技システムにおいては、遊技店の営業時間の設定手段及び営業時間外の玉貸しの無効化手段を設けることにより、遊技店側で行われる営業時間外の不正な玉貸しを防止可能にし、それによりカード会社が不利益を被らずに済むようにした。
【０１２３】
尚、上記実施例の対応箇所を以下のように変更してもよい。
【０１２４】
・営業時間データや基準時間データの変更の防止を行うために、営業時間データや基準時間データをカード会社５０に対して定期的に送信して、時間値の変更が行われていないかを監視するようにしてもよい。
【０１２５】
・基準時間はカードデータ転送装置３０内の時計ＩＣ３０４により計時しなくても、ＣＰＵ３００により直接計時処理してもよい。
【０１２６】
・この実施例では、磁気カードのデータから実際に遊技球（実球）を貸し出すシステムであるが、ＩＣカードによるシステム、或いは封入球を使用する遊技機によるシステムでもよい。
【０１２７】
［第２の実施の形態］
カード式遊技システムにおいて、遊技店側で行われる営業時間外の不正な玉貸しの防止手段は、第１の実施の形態で示したような手段の他、以下のような手段を用いてもよい。尚、このとき、遊技店側で行われる営業時間外の不正な玉貸しの防止手段以外は第１の実施の形態と同様とする。
【０１２８】
第２の実施の形態では、カード式玉貸し装置２０によって行われる制御処理のメインフローのステップＳ３カードプレイ処理（図７記載）において以下（図１０）に示すような制御処理を行うことで営業時間外の不正な玉貸しを防止する。
【０１２９】
図１０は、カードプレイ処理のサブルーチンを示すフローチャートである。
【０１３０】
先ず、ステップＳ１０において、カード式玉貸し装置２０に遊技カードの挿入があれば、ステップＳ１１に移り、挿入がなければメインフローにリターンされる。
【０１３１】
ステップＳ１１では、挿入された遊技カードのカード情報の読み込み処理を行いステップＳ１２に移行する。
【０１３２】
ステップＳ１２では、ステップＳ１１で読み込んだカード情報の中のセキュリティ情報の正誤を判別し、正しければステップＳ１５へ移り、間違った情報であればステップＳ１３に移ってエラー情報を通信メモリにセットし、カードはステップＳ１４排出処理（カード挿入口から排出）される。
【０１３３】
ステップＳ１５では、ステップＳ１１で読み込んだカード情報に、当店情報（該遊技店発行カードで有るとの情報、或いはカード受付機を通したかの情報）が有る場合はステップＳ１６に移り、無い場合、カードはステップＳ１４排出処理される。
【０１３４】
ステップＳ１６では、ステップＳ１５でカードに当店情報が有った場合にその情報の正誤を判別し、正しければステップＳ１７に移り、間違った情報であればステップＳ１３に移ってエラー情報を通信メモリにセットし、カードはステップＳ１４で排出処理される。
【０１３５】
ステップＳ１７では、営業時間外（或いは予め定められた時間外）になった場合に、Ｔ−ＢＯＸ（カードデータ転送装置３０）から送られた時間外情報をカードユニット（カード式玉貸し装置２０）が受信した場合にはステップＳ１８に移り、受信しなかった場合にはステップＳ２０に移る。
【０１３６】
このとき、時間外情報とは、時間外の玉貸しを禁止する禁止指令情報のことである。
【０１３７】
ステップＳ１８では、ステップＳ１７において時間外情報を受信した場合に、カード式玉貸し装置２０のカード挿入口に挿入されているカードがテストカードかどうかを判定し、テストカードでなければステップ１４に移りカードは排出処理され、テストカードであればステップ１９に移る。
【０１３８】
ステップＳ１９では、ステップＳ１８において挿入されているカードがテストカードであった場合には、テストカードによる玉貸し処理が行われる。
【０１３９】
尚、営業時間外でもテストカードの場合は玉貸しが行えるため、営業時間外での玉貸し動作のチェック等は従来通り可能である。この場合には、カード式玉貸し装置２０からカードデータ転送装置３０（即ち、カード会社５０）への玉貸しに関するデータの送信は行われない。
【０１４０】
ステップＳ２０では、ステップＳ１７において時間外情報を受信しなかった場合に、挿入カードのカードデータ（カードの残度数など）を遊技機１０のカードデータ表示器で７セグメント表示して、外部（遊技者）に知らせる。
【０１４１】
ステップＳ２１では、表示されたカードデータを視認した遊技者が、返却スイッチを押さなかった（ＯＮにしなかった）場合は次のステップＳ１９に移り、押した（ＯＮにした）場合はステップＳ２７に移ってカード排出を行う。
【０１４２】
ステップＳ２２では、前記遊技者が、玉貸しスイッチを押した（ＯＮにした）場合ステップＳ２３に移り、押さなかった（ＯＮにしなかった）場合はステップＳ２６に移る。
【０１４３】
ステップＳ２３では、玉貸しスイッチがＯＮにされた場合、遊技機の玉排出装置に玉の排出命令を出すための通信処理を行い、玉排出命令を受けた遊技機は玉の排出（玉貸し）を行うとともに、玉貸しが終了した場合に玉貸し完了信号が送信される。
【０１４４】
ステップＳ２４では、ステップＳ２３で行われた玉貸し情報を通信メモリにセットし、通信処理によってカードデータ転送装置３０に送信できるようにする。
【０１４５】
ステップＳ２５では、ステップＳ２３で行われた玉貸し情報（残度数情報等）をカードに書き込みステップＳ２６に移る。
【０１４６】
ステップＳ２６では、カード残度数が０になっていればステップＳ２７でカードの排出を行ってメインフローにリターンされ、そうでなければ直ちにメインフローにリターンされる。
【０１４７】
以上でカードプレイ処理のサブルーチンは終了する。
【０１４８】
以上に述べたように、第２の実施の形態に係わるカード式遊技システムにおいては、カード式玉貸し装置２０によって行われる制御処理のメインフローのステップＳ３カードプレイ処理において、予め設定されている時間（営業時間等）外になった場合カードデータ転送装置３０からカード式玉貸し装置２０に時間外情報を送信し、時間外の送信を受けたカード式玉貸し装置２０が玉貸しを禁止するとともにカードデータ転送装置３０への（玉貸し）データの転送も行わないことにより、営業時間外の不正な玉貸しを防止する。
【０１４９】
【発明の効果】
請求項１記載の発明によれば、時刻計時手段により計時される基準時刻及び営業時間設定手段で設定された営業時間に基づき、遊技媒体の貸出が営業時間内に行われているかどうかを遊技媒体貸出時間判定手段が判定し、遊技媒体貸出時間判定手段により、営業時間外での遊技媒体の貸出であると判定された場合に、外部装置への遊技媒体の貸出に関連した情報の送信をカード関連情報送信無効化手段が無効化し、カード関連情報送信装置が、外部装置から営業時間データ及び時間値を受信することにより時間合わせを行い、営業時間設定手段で設定される営業時間及び時刻計時手段による基準時刻を不正に変更することを防止するので、遊技店において行われる玉貸しが営業時間内であるかどうかが判定でき、もし営業時間外（定休日も含む）の不正カードの使用による玉貸しであれば、その玉貸しに関するデータのカード会社に対する送信を無効化するため、不正カードによる玉貸しを防止でき、カード会社が不利益を被らなくて済むようになる。
【０１５０】
請求項２記載の発明によれば、カード関連情報送信装置が、外部装置から営業時間データ及び時間値を受信することにより時間合わせを行い、営業時間設定手段で設定される営業時間及び時刻計時手段による基準時刻を不正に変更することを防止し、且つ、時刻計時手段により計時される基準時刻及び営業時間設定手段で設定された営業時間に基づき、営業時間外になった場合に遊技媒体貸出装置に時間外情報を送信し、遊技媒体貸出装置が、時間外情報を受信した場合に、遊技媒体の貸出行為を禁止するので、予め設定されている営業時間、或いは玉貸し行為の発生時間を計る基準時間を、遊技店側が変更するといった不正行為を防止でき、その結果、遊技店による不正カードを使用した営業時間外（定休日も含む）の玉貸しを確実に防止できるので、カード会社が不利益を被らなくて済むようになる。
【図面の簡単な説明】
【図１】この発明の実施の形態に係わるカード式遊技システムのシステム図である。
【図２】カード式遊技システムにおける主要なシステム構成設備の斜視図である。
【図３】カード式遊技システムにおけるパチンコ遊技機１０とそれに付設されたカード式玉貸し装置２０の前面斜視図である。
【図４】パチンコ遊技機１０の遊技盤正面図である。
【図５】遊技機１０とそれに付設したカード式玉貸し装置（カード式玉貸し機）２０の内部装置、及び内部装置間の玉貸し情報及び遊技情報に関する信号のやり取りの詳細、を示したブロック図である。
【図６】カードデータ転送装置３０の内部構成装置及び各内部構成装置間の信号のやり取りを記載したブロック図である。
【図７】カード式玉貸し装置２０の制御処理のメインフローのチャートである。
【図８】カードデータ転送装置の制御処理のメインフローのチャートである。
【図９】カードデータ転送装置のメインフローのステップＲ１０で行われるサブルーチン処理である業務停止処理（業務終了処理）のフローチャートである。
【図１０】カード式玉貸し装置２０のメインフローのステップＳ３で行われるサブルーチンであるカードプレイ処理のフローチャートである。
【符号の説明】
１０      遊技機
２０      カード式玉貸し装置（遊技媒体貸出装置）
２１      カード発行機
２２      カード受付機
３０      カードデータ転送装置
３１      副中継装置
３２      主中継装置
４０      管理装置
５０      カード会社（外部装置）
１００    カード操作部
１００ａ  玉貸しスイッチ
１００ｂ  返却スイッチ
１００ｃ  カード残額表示器
１００ｄ  玉貸し有効表示器
１０１    排出制御装置
１０２    役物制御装置
２０５    通信制御装置
２０６    カードＲ／Ｗ装置
２０７    外部記憶装置
２０８    リセットスイッチ
２０９    玉貸額設定スイッチ
２１０    報知ランプ
３０４    時計ＩＣ
３０６    通信制御装置（遊技店外）
３０７    通信制御装置（遊技店内）
３０８    外部記憶装置
３０９    表示装置
３１０    入力装置
３１１    プリンター
３１２    記憶装置
【図１】
0003719788.tif 000002
【図２】
0003719788.tif 000003
【図３】
0003719788.tif 000004
【図４】
0003719788.tif 000005
【図５】
0003719788.tif 000006
【図６】
0003719788.tif 000007
【図７】
0003719788.tif 000008
【図８】
0003719788.tif 000009
【図９】
0003719788.tif 000010
【図１０】
0003719788.tif 000011